(57)【特許請求の範囲】
【請求項１】
接続される装置にデータを伝送する伝送装置であって、
時分割方向制御方式を用いたディジタル回線に接続され、当該ディジタル回線を伝送される通信データと各チャネルのデータとを相互に変換する網終端インタフェース変換手段と、
Ｖ２４インタフェースを有する通信端末に接続され、当該Ｖ２４インタフェースの規定に基づいて、前記網終端インタフェース変換手段から受信した各チャネルのデータと、前記通信端末で用いられるデータとを相互に変換するＶ２４インタフェース変換手段と、
他の伝送装置における網終端インタフェース変換手段に接続され、当該他の伝送装置との間で伝送されるデータと、前記網終端インタフェース変換手段から受信した各チャネルのデータとを相互に変換する回線終端インタフェース変換手段と、
前記通信端末から前記Ｖ２４インタフェース変換手段を介して送信されるデータである第一のデータと、他の伝送装置に接続された前記通信端末から前記回線終端インタフェース変換手段を介して送信されるデータである第二のデータと、前記いずれかの通信端末のうち所定の信号を出力する通信端末から送信されるデータの中から、予め定められた設定にしたがって、他の装置に送信するデータを選択する送信データ選択手段とを備え、
前記送信データ選択手段は、前記第一のデータおよび前記第二のデータから、通信端末から送信されるデータの送信元に対する接続要求の有無を示す信号を検出し、前記信号に応じてデータを選択する旨の設定がされている場合に、検出される前記信号に接続要求を示す情報が設定されているデータを選択し、
前記網終端インタフェース変換手段は、前記送信データ選択手段が選択したデータを他の装置に送信する
ことを特徴とする伝送装置。
【請求項２】
ディジタル回線を伝送される通信データから網終端インタフェース変換手段によって変換された各チャネルのデータのうち、予め定められたチャネルのデータを選択する受信データ選択手段を備え、
Ｖ２４インタフェース変換手段は、Ｖ２４インタフェースの規定に基づいて、前記受信データ選択手段が選択したチャネルのデータを、通信端末で用いられるデータに変換する
請求項１記載の伝送装置。
【請求項３】
網終端インタフェース変換手段は、ディジタル回線を伝送される通信データからＢ１チャネルのデータとＢ２チャネルのデータとを抽出し、
回線終端インタフェース変換手段は、前記網終端インタフェース変換手段から受信したＢ１チャネルのデータおよびＢ２チャネルのデータを他の伝送装置との間で伝送されるデータに変換する
請求項１または請求項２記載の伝送装置。
【請求項４】
送信データ選択手段は、接続要求信号を出力する通信端末から送信されるデータを選択する
請求項１から請求項３のうちのいずれか１項に記載の伝送装置。
【請求項５】
回線終端インタフェース変換手段は、網終端インタフェース変換手段が受信したデータを、通信端末が必要とするデータスピードおよび電圧レベルに変換する
請求項１から請求項４のうちのいずれか１項に記載の伝送装置。
【請求項６】
接続される装置にデータを伝送する伝送装置を複数備え、
前記各伝送装置は、
時分割方向制御方式を用いたディジタル回線に接続され、当該ディジタル回線を伝送される通信データと各チャネルのデータとを相互に変換する網終端インタフェース変換手段と、
Ｖ２４インタフェースを有する通信端末に接続され、当該Ｖ２４インタフェースの規定に基づいて、前記網終端インタフェース変換手段から受信した各チャネルのデータと、前記通信端末で用いられるデータとを相互に変換するＶ２４インタフェース変換手段と、
他の伝送装置における網終端インタフェース変換手段に接続され、当該他の伝送装置との間で伝送されるデータと、前記網終端インタフェース変換手段から受信した各チャネルのデータとを相互に変換する回線終端インタフェース変換手段と、
前記通信端末から前記Ｖ２４インタフェース変換手段を介して送信されるデータである第一のデータと、他の伝送装置に接続された前記通信端末から前記回線終端インタフェース変換手段を介して送信されるデータである第二のデータと、前記いずれかの通信端末のうち所定の信号を出力する通信端末から送信されるデータの中から、予め定められた設定にしたがって、他の装置に送信するデータを選択する送信データ選択手段とを含み、
前記送信データ選択手段は、前記第一のデータおよび前記第二のデータから、通信端末から送信されるデータの送信元に対する接続要求の有無を示す信号を検出し、前記信号に応じてデータを選択する旨の設定がされている場合に、検出される前記信号に接続要求を示す情報が設定されているデータを選択し、
前記網終端インタフェース変換手段は、前記送信データ選択手段が選択したデータを他の装置に送信する
ことを特徴とする伝送システム。
【請求項７】
ディジタル回線を伝送される通信データから網終端インタフェース変換手段によって変換された各チャネルのデータのうち、予め定められたチャネルのデータを選択する受信データ選択手段を含み、
Ｖ２４インタフェース変換手段は、Ｖ２４インタフェースの規定に基づいて、前記受信データ選択手段が選択したチャネルのデータを、通信端末で用いられるデータに変換する
請求項６記載の伝送システム。
【請求項８】
第一の伝送装置が、時分割方向制御方式を用いたディジタル回線を伝送される通信データを各チャネルのデータに変換し、
前記第一の伝送装置が、Ｖ２４インタフェースの規定に基づいて、前記各チャネルのデータを、Ｖ２４インタフェースを有する当該第一の伝送装置に接続された通信端末で用いられるデータに変換し、前記通信端末から受信したデータを前記各チャネルのデータに変換し、
前記第一の伝送装置が、前記各チャネルのデータを、当該第一の伝送装置に接続された他の伝送装置との間で伝送されるデータに変換し、前記他の伝送装置から受信したデータを前記各チャネルのデータに変換し、
前記第一の伝送装置が、前記通信端末から送信されるデータである第一のデータと前記他の伝送装置に接続された通信端末から送信されるデータである第二のデータと、前記いずれかの通信端末のうち所定の信号を出力する通信端末から送信されるデータの中から、予め定められた設定にしたがって、他の装置に送信するデータを選択し、
前記データを選択する際、前記第一の伝送装置が、前記第一のデータおよび前記第二のデータから、通信端末から送信されるデータの送信元に対する接続要求の有無を示す信号を検出し、前記信号に応じてデータを選択する旨の設定がされている場合に、検出される前記信号に接続要求を示す情報が設定されているデータを選択し、
前記第一の伝送装置が、前記選択されたデータを他の装置に送信する
ことを特徴とする伝送方法。
【請求項９】
ディジタル回線を伝送される通信データから変換された各チャネルのデータの中のうち、予め定められたチャネルのデータを選択し、
Ｖ２４インタフェースの規定に基づいて、選択されたチャネルのデータを、通信端末で用いられるデータに変換する
請求項８記載の伝送方法。
【発明の詳細な説明】
【技術分野】
【０００１】
本発明は、時分割方向制御方式（以下、ＴＣＭ（Time Compression Multiplexing ）方式と記す。）を用いたディジタル回線を介してデータを伝送する伝送装置、伝送システムおよび伝送方法に関する。
【背景技術】
【０００２】
特許文献１には、ＴＣＭ伝送方式によるディジタル回線を１回線使用して、２台の端末を接続可能にする伝送システムを実現する時分割方向制御伝送装置が記載されている。特許文献１に記載された伝送装置は、ＴＣＭ方式を用いたディジタル回線から伝送されたＢ１チャネルとＢ２チャネルのデータのいずれか一方を選択する。そして、特許文献１に記載された伝送装置は、選択されたチャネルのデータをＶ．２４インタフェース用のデータに変換して通信端末に送信するとともに、選択されたチャネルのデータを回線終端側のフレームフォーマットのデータに再構築する。
【先行技術文献】
【特許文献】
【０００３】
【特許文献１】特開２０１０−２７３１７４号公報
【発明の概要】
【発明が解決しようとする課題】
【０００４】
一般に、ＴＣＭ方式を用いたディジタル専用回線（以下、ＳＤ回線と記す。）に接続され、ＴＣＭ方式を終端する伝送装置では、ＴＣＭ方式によるインタフェース（以下、ＴＣＭ＿ＩＮＦと記す。）の特性上、ＴＣＭ方式を終端するＮＴ（Network Termination ）インタフェース（網終端インタフェース。以下、ＮＴ＿ＩＮＦと記す。）と、ＬＴ（Line Termination）インタフェース（回線終端インタフェース。以下、ＬＴ＿ＩＮＦと記す。）とは、基本的に１対１で接続される。なお、ＳＤ回線において、ＮＴ＿ＩＮＦは、ＤＳＵ（Digital Service Unit）に相当し、ＬＴ＿ＩＮＦは、ＯＣＵ（Office Channel Unit ）に相当する。
【０００５】
したがって、同一の伝送装置を用いて同じ施設内にあるデータ端末を新たに追加接続しようとした場合、ＳＤ回線を新たに契約するか、ＴＣＭ＿ＩＮＦの代わりにＳ／Ｔ点インタフェースを有する別の伝送装置を新たに用意し、その伝送装置のＳ／Ｔ点上でバス接続する必要がある。いずれの場合も、通信システムの拡張が容易に行えず、多大な費用が発生してしまうという問題がある。
【０００６】
例えば、アナログモデムを用いて構築された通信システムにおいて、アナログモデムからＴＣＭ方式を終端した伝送装置への置き換えを行う場合を想定する。ＴＣＭ方式を終端した伝送装置では、アナログモデムとは異なり、マルチポイント接続やバス接続ができないという制限があるため、設備を追加したり契約回線を追加したりする必要がある。
【０００７】
図１７は、一般的な伝送装置を用いてマルチポイント接続を行うシステムの例を示す説明図である。図１７に示す例では、センタ局に配置された端末Ａから、支局エリアに配置された端末Ｂ，Ｃ，Ｄ，ＥとＳＤ回線を介して通信が行われる。センタ局の端末Ａは、伝送装置９１に接続され、ＴＣＭ方式による通信を行う。一方、支局エリアには、複数の端末Ｂ，Ｃ，Ｄ，Ｅが存在するため、伝送装置９２は、データブランチ装置９３を介して複数の端末Ｂ，Ｃ，Ｄ，Ｅに接続する。このようなマルチポイント接続を行う場合、図１７に例示するデータブランチ装置のような新たな装置を導入しなければならない。
【０００８】
なお、特許文献１に記載された伝送装置を用いることで、ＴＣＭ方式を終端した伝送装置でバス接続をすることは可能である。ただし、特許文献１に記載された伝送装置では、対向端末が１対１の接続を目的としており、例えば、センタ局の端末と複数の端末との通信を目的とするマルチポイント接続までは考慮されていない。そのため、１対１接続を基本とするＴＣＭ方式を終端する伝送装置を利用する場合に、新たな装置を導入することなく、容易にＳＤ回線でのマルチポイント接続を実現できることが望ましい。
【０００９】
そこで、本発明は、新たな装置を導入することなく、ＴＣＭ伝送方式によるディジタル回線を１回線使用してマルチポイント接続を可能とするシステムを実現できる伝送装置、伝送システムおよび伝送方法を提供することを目的とする。
【課題を解決するための手段】
【００１０】
本発明による伝送装置は、接続される装置にデータを伝送する伝送装置であって、時分割方向制御方式を用いたディジタル回線に接続され、そのディジタル回線を伝送される通信データと各チャネルのデータとを相互に変換する網終端インタフェース変換手段と、Ｖ２４インタフェースを有する通信端末に接続され、そのＶ２４インタフェースの規定に基づいて、網終端インタフェース変換手段から受信した各チャネルのデータと、通信端末で用いられるデータとを相互に変換するＶ２４インタフェース変換手段と、他の伝送装置における網終端インタフェース変換手段に接続され、その他の伝送装置との間で伝送されるデータと、網終端インタフェース変換手段から受信した各チャネルのデータとを相互に変換する回線終端インタフェース変換手段と、通信端末からＶ２４インタフェース変換手段を介して送信されるデータである第一のデータと、他の伝送装置に接続された通信端末から回線終端インタフェース変換手段を介して送信されるデータである第二のデータと、いずれかの通信端末のうち所定の信号を出力する通信端末から送信されるデータの中から、予め定められた設定にしたがって、他の装置に送信するデータを選択する送信データ選択手段とを備え、送信データ選択手段が、第一のデータおよび第二のデータから、通信端末から送信されるデータの送信元に対する接続要求の有無を示す信号を検出し、信号に応じてデータを選択する旨の設定がされている場合に、検出される信号に接続要求を示す情報が設定されているデータを選択し、網終端インタフェース変換手段が、送信データ選択手段が選択したデータを他の装置に送信することを特徴とする。
【００１１】
本発明による伝送システムは、接続される装置にデータを伝送する伝送装置を複数備え、各伝送装置が、時分割方向制御方式を用いたディジタル回線に接続され、そのディジタル回線を伝送される通信データと各チャネルのデータとを相互に変換する網終端インタフェース変換手段と、Ｖ２４インタフェースを有する通信端末に接続され、そのＶ２４インタフェースの規定に基づいて、網終端インタフェース変換手段から受信した各チャネルのデータと、通信端末で用いられるデータとを相互に変換するＶ２４インタフェース変換手段と、他の伝送装置における網終端インタフェース変換手段に接続され、その他の伝送装置との間で伝送されるデータと、網終端インタフェース変換手段から受信した各チャネルのデータとを相互に変換する回線終端インタフェース変換手段と、通信端末からＶ２４インタフェース変換手段を介して送信されるデータである第一のデータと、他の伝送装置に接続された通信端末から回線終端インタフェース変換手段を介して送信されるデータである第二のデータと、いずれかの通信端末のうち所定の信号を出力する通信端末から送信されるデータの中から、予め定められた設定にしたがって、他の装置に送信するデータを選択する送信データ選択手段とを含み、送信データ選択手段が、第一のデータおよび第二のデータから、通信端末から送信されるデータの送信元に対する接続要求の有無を示す信号を検出し、信号に応じてデータを選択する旨の設定がされている場合に、検出される信号に接続要求を示す情報が設定されているデータを選択し、網終端インタフェース変換手段が、送信データ選択手段が選択したデータを他の装置に送信することを特徴とする。
【００１２】
本発明による伝送方法は、第一の伝送装置が、時分割方向制御方式を用いたディジタル回線を伝送される通信データを各チャネルのデータに変換し、第一の伝送装置が、Ｖ２４インタフェースの規定に基づいて、各チャネルのデータを、Ｖ２４インタフェースを有するその第一の伝送装置に接続された通信端末で用いられるデータに変換し、通信端末から受信したデータを各チャネルのデータに変換し、第一の伝送装置が、各チャネルのデータを、その第一の伝送装置に接続された他の伝送装置との間で伝送されるデータに変換し、他の伝送装置から受信したデータを各チャネルのデータに変換し、第一の伝送装置が、通信端末から送信されるデータである第一のデータと他の伝送装置に接続された通信端末から送信されるデータである第二のデータと、いずれかの通信端末のうち所定の信号を出力する通信端末から送信されるデータの中から、予め定められた設定にしたがって、他の装置に送信するデータを選択し、このデータを選択する際、第一の伝送装置が、第一のデータおよび第二のデータから、通信端末から送信されるデータの送信元に対する接続要求の有無を示す信号を検出し、信号に応じてデータを選択する旨の設定がされている場合に、検出される信号に接続要求を示す情報が設定されているデータを選択し、第一の伝送装置が、選択されたデータを他の装置に送信することを特徴とする。
【発明の効果】
【００１３】
本発明によれば、新たな装置を導入することなく、ＴＣＭ伝送方式によるディジタル回線を１回線使用してマルチポイント接続を可能とするシステムを実現できる。
【図面の簡単な説明】
【００１４】
【図１】本発明による伝送装置の一実施形態を示すブロック図である。
【図２】受信データセレクタ４の例を示す説明図である。
【図３】受信データセレクタ４の他の例を示す説明図である。
【図４】ＲＳ情報を送信データに付加した例を示す説明図である。
【図５】Ｂ１送信データセレクタ５の例を示す説明図である。
【図６】Ｂ１送信データセレクタ５の他の例を示す説明図である。
【図７】Ｂ１送信データセレクタ５のさらに他の例を示す説明図である。
【図８】Ｂ２送信データセレクタ６の例を示す説明図である。
【図９】Ｂ２送信データセレクタ６の他の例を示す説明図である。
【図１０】伝送装置を用いて構成される伝送システムの例を示す説明図である。
【図１１】図１０に例示する伝送システムで送信されるデータの例を示す説明図である。
【図１２】伝送装置を用いて構成される伝送システムの他の例を示す説明図である。
【図１３】伝送装置を用いて構成される伝送システムのさらに他の例を示す説明図である。
【図１４】図１３に例示する伝送システムで送信されるデータの例を示す説明図である。
【図１５】本発明による伝送装置の概要を示すブロック図である。
【図１６】本発明による伝送システムの概要を示すブロック図である。
【図１７】一般的な伝送装置を用いてマルチポイント接続を行うシステムの例を示す説明図である。
【発明を実施するための形態】
【００１５】
以下、本発明の実施形態を図面を参照して説明する。
【００１６】
実施形態１．
図１は、本発明による伝送装置の一実施形態を示すブロック図である。本実施形態の伝送装置２０は、ＴＣＭ方式を終端し、ＩＴＵ−Ｔ（International Telecommunication Union Telecommunication Standardization Sector）により規定されたＶ．２４インタフェースを有する通信端末２１に接続される。以下、Ｖ．２４インタフェースを、Ｖ２４＿ＩＮＦと記し、Ｖ．２４インタフェースを有する通信端末２１を、Ｖ２４＿ＩＮＦ端末２１と記す。また、データの送信元に対して、通信端末から送信される接続要求の有無を示す信号をＲＳ情報と記す。ここで、ＲＳ情報に「オン」を示す値が設定されている場合、そのＲＳ情報は、接続を要求していることを示す。また、ＲＳ情報に「オフ」を示す値が設定されている場合、そのＲＳ情報は、接続を要求していないことを示す。
【００１７】
本実施形態の伝送装置２０は、ＮＴ＿ＩＮＦ１と、ＮＴ＿ＩＮＦ変換部２と、データ振り分け設定部３と、受信データセレクタ４と、Ｂ１送信データセレクタ５と、Ｂ２送信データセレクタ６と、セレクタ制御部７と、ＲＳ情報検出部８と、Ｖ２４＿ＩＮＦ変換部９と、ＬＴ＿ＩＮＦ変換部１０と、Ｖ２４＿ＩＮＦ１１と、ＬＴ＿ＩＮＦ１２とを備えている。
【００１８】
ＮＴ＿ＩＮＦ１は、ＴＣＭ方式を用いたディジタル回線に接続され、ＮＴ側フレームフォーマットでＴＣＭ方式により伝送される信号の終端処理を行う。
【００１９】
ＮＴ＿ＩＮＦ変換部２は、ＮＴ側フレームフォーマットから、上記通信端末で使用されるデータを抽出する。具体的には、ＮＴ＿ＩＮＦ変換部２は、ＮＴ側フレームフォーマットの通信データから、Ｂ１チャネルのデータ（以下、Ｂ１データと記す。）とＢ２チャネルのデータ（以下、Ｂ２データと記す。）を抽出する。また、ＮＴ＿ＩＮＦ変換部２は、
Ｂ１データおよびＢ２データを用いてＮＴ側フレームフォーマットを組み立てる。このように、ＮＴ＿ＩＮＦ変換部２は、ＮＴ側フレームフォーマットの通信データと、通信端末で用いられる各チャネルのデータとを相互に変換する。
【００２０】
ＮＴ＿ＩＮＦ変換部２は、ＮＴ側フレームフォーマットの通信データから変換した各チャネルのデータを受信データセレクタ４およびＬＴ＿ＩＮＦ変換部１０に送信する。また、ＮＴ＿ＩＮＦ変換部２は、後述するＢ１送信データセレクタ５およびＢ２送信データセレクタ６から受信した各チャネルのデータを変換した通信データをＮＴ＿ＩＮＦ１に送信する。
【００２１】
データ振り分け設定部３は、後述する受信データセレクタ４、Ｂ１送信データセレクタ５およびＢ２送信データセレクタ６によるデータの選択方法を規定する。なお、データ振り分け設定部３の設定内容については、後述する。
【００２２】
受信データセレクタ４は、ＮＴ＿ＩＮＦ変換部２が通信データから変換したＢ１データとＢ２データのいずれか一方を選択し、選択したデータをＶ２４＿ＩＮＦ変換部９に送信する。なお、Ｂ１データとＢ２データのいずれを選択するかは、データ振り分け設定部３に予め設定される。
【００２３】
図２および図３は、受信データセレクタ４の例を示す説明図である。受信データセレクタ４は、ＮＴ＿ＩＮＦ変換部２が変換したＢ１データを受信する端子３１およびＢ２データを受信する端子３２を有しており、さらに、これらの端子のいずれか一方に択一的に接続する端子３３を有している。なお、端子３３の他方は、Ｖ２４＿ＩＮＦ変換部９に接続される。
【００２４】
データ振り分け設定部３には、受信データセレクタ４の設定として、（１）「Ｂ１を選択」と（２）「Ｂ２を選択」の２種類の中から設定される。「Ｂ１を選択」が設定されている場合、図２の例に示すように、端子３１に端子３３が接続される。一方、「Ｂ２を選択」が設定されている場合、図３の例に示すように、端子３２に端子３３が接続される。
【００２５】
Ｖ２４＿ＩＮＦ変換部９は、Ｖ．２４インタフェースの規定に基づいて、受信データセレクタ４から受信したＢ１データまたはＢ２データを、Ｖ２４＿ＩＮＦ端末２１で用いられるデータに変換する。また、Ｖ２４＿ＩＮＦ変換部９は、Ｖ２４＿ＩＮＦ端末２１から受信したデータを各チャネルのデータ（Ｂ１データまたはＢ２データ）に変換する。すなわち、Ｖ２４＿ＩＮＦ変換部９は、各チャネルのデータとＶ２４＿ＩＮＦ端末２１で用いられるデータとを相互に変換する。
【００２６】
具体的には、Ｖ２４＿ＩＮＦ変換部９は、受信データセレクタ４から受信したＢ１データまたはＢ２データのデータスピードを、Ｖ２４＿ＩＮＦ端末２１が必要とするデータスピードへ変換する。また、Ｖ２４＿ＩＮＦ変換部９は、Ｖ２４＿ＩＮＦ端末２１から受信したデータのスピードを、Ｂ１データまたはＢ２データのデータスピードへ変換する。
【００２７】
さらに、Ｖ２４＿ＩＮＦ変換部９は、ＣＳ（送信可）、ＣＤ（データチャネル受信キャリア検出）など、Ｖ２４＿ＩＮＦ端末２１で使用される制御信号の制御を行う。また、Ｖ２４＿ＩＮＦ変換部９は、Ｖ２４＿ＩＮＦ端末２１から受信するＲＳ情報を後述するＲＳ情報検出部８に送信する。
【００２８】
図４は、ＲＳ情報を送信データに付加した例を示す説明図である。Ｖ２４＿ＩＮＦ変換部９は、図４の例に示すように、Ｖ２４＿ＩＮＦ端末２１から送信されるデータにＲＳ情報を付加したデータをＢ１データまたはＢ２データとして送信してもよい。
【００２９】
Ｖ２４＿ＩＮＦ１１は、伝送装置２０とＶ２４＿ＩＮＦ端末２１とを接続する。具体的には、Ｖ２４＿ＩＮＦ１１は、伝送装置２０とＶ２４＿ＩＮＦ端末２１とを接続するため、ＮＴ＿ＩＮＦ１が受信したデータを通信端末が必要とする電圧レベルに変換する。
【００３０】
ＬＴ＿ＩＮＦ変換部１０は、受信データセレクタ４から受信したＢ１データおよびＢ２データを、他の伝送装置に伝送するフォーマットのデータに変換する。また、ＬＴ＿ＩＮＦ変換部１０は、他の伝送装置から受信したフォーマットのデータを各チャネルのデータ（Ｂ１データまたはＢ２データ）に変換する。すなわち、ＬＴ＿ＩＮＦ変換部１０は、他の伝送装置との間で伝送されるフォーマットのデータと各チャネルのデータとを相互に変換する。
【００３１】
具体的には、ＬＴ＿ＩＮＦ変換部１０は、Ｂ１データおよびＢ２データを用いてＬＴ側フレームフォーマットを組み立てる。また、ＬＴ＿ＩＮＦ変換部１０は、ＬＴ側フレームフォーマットの通信データからＢ１データおよびＢ２データを抽出する。
【００３２】
ＬＴ＿ＩＮＦ変換部１０は、ＮＴ＿ＩＮＦ変換部２から受信した各チャネルのデータが変換された通信データをＬＴ＿ＩＮＦ１２に送信する。また、ＬＴ＿ＩＮＦ変換部１０は、ＬＴ側フレームフォーマットの通信データから変換された各チャネルのデータをＢ１送信データセレクタ５、Ｂ２送信データセレクタ６およびＲＳ情報検出部８に送信する。図１に示す例では、ＬＴ＿ＩＮＦ変換部１０が、Ｂ１データをＢ１送信データセレクタ５およびＲＳ情報検出部８に送信し、Ｂ２データをＢ２送信データセレクタ６に送信していることを示す。
【００３３】
ＬＴ＿ＩＮＦ１２は、ＬＴ側フレームフォーマットでＴＣＭ方式により伝送される信号の終端処理を行う。なお、本実施形態では、第一の伝送装置（伝送装置２０）におけるＬＴ＿ＩＮＦ１２と、第二の伝送装置（図示せず）におけるＮＴ＿ＩＮＦ１とが接続される。そして、第一の伝送装置におけるＬＴ＿ＩＮＦ１２は、第二の伝送装置におけるＮＴ＿ＩＮＦ１から第一の伝送装置に送信される信号の終端処理を行い、受信した通信データを第一の伝送装置におけるＬＴ＿ＩＮＦ変換部１０に通知する。以下の説明では、各伝送装置同士を接続する回線のことを構内回線と記す。
【００３４】
ＲＳ情報検出部８は、Ｖ２４＿ＩＮＦ変換部９およびＬＴ＿ＩＮＦ変換部１０から受信する信号に含まれるＲＳ情報を検出する。具体的には、ＲＳ情報検出部８は、接続要求を示すＲＳ情報を送信した変換部を特定するための情報をセレクタ制御部７に通知する。
【００３５】
セレクタ制御部７は、ＲＳ情報検出部８から受信した情報に基づいて、Ｂ１送信データセレクタ５が送信するデータを制御する。なお、セレクタ制御部７がＢ１送信データセレクタ５を制御するか否かは、データ振り分け設定部３の設定に基づいて決定される。
【００３６】
Ｂ１送信データセレクタ５は、Ｖ２４＿ＩＮＦ変換部９から受信したデータ（すなわち、Ｖ２４＿ＩＮＦ端末２１が送信したデータ）とＬＴ＿ＩＮＦ変換部１０から受信したＢ１データのどちらかを選択し、ＮＴ＿ＩＮＦ変換部２に送信する。なお、Ｖ２４＿ＩＮＦ変換部９から受信したデータとＢ１データのいずれを選択するかは、データ振り分け設定部３に予め設定される。
【００３７】
図５〜７は、Ｂ１送信データセレクタ５の例を示す説明図である。Ｂ１送信データセレクタ５は、Ｖ２４＿ＩＮＦ変換部９が変換したＶ２４＿ＩＮＦ端末２１からのデータを受信する端子３４およびＬＴ＿ＩＮＦ変換部１０が変換したＢ１データを受信する端子３５を有しており、さらに、これらの端子のいずれか一方に択一的に接続する端子３６を有している。なお、端子３６の他方は、ＮＴ＿ＩＮＦ変換部２にも接続される。
【００３８】
また、Ｂ１送信データセレクタ５は、セレクタ制御部７からの制御信号を受信する端子３７を有しており、この制御信号に基づいて端子３６の接続先が決定される。なお、この制御信号を利用するか否かは、データ振り分け設定部３の設定に基づく。
【００３９】
データ振り分け設定部３には、Ｂ１送信データセレクタ５の設定として、（３）「Ｖ２４＿ＩＮＦ変換部９からのデータを選択」と、（４）「ＬＴ＿ＩＮＦ変換部１０からのデータを選択」と、（５）「ＲＳ情報による」の３種類の中から設定される。
【００４０】
「Ｖ２４＿ＩＮＦ変換部９からのデータを選択」が設定されている場合、図５の例に示すように、端子３４に端子３６が接続される。「ＬＴ＿ＩＮＦ変換部１０からのデータを選択」が設定されている場合、図６の例に示すように、端子３５に端子３６が接続される。
【００４１】
一方、「ＲＳ情報による」が設定されている場合、ＲＳ情報検出部８が検出したＲＳ情報に基づいて、接続される端子が決定される。具体的には、ＲＳ情報検出部８は、Ｖ２４＿ＩＮＦ変換部９からのデータに含まれるＲＳ情報と、ＬＴ＿ＩＮＦ変換部１０からのデータに含まれるＲＳ情報のいずれが「オン」を示しているか検出する。そして、「オン」を示すＲＳ情報がどちらのデータに含まれているかをセレクタ制御部７に通知する。
【００４２】
ＲＳ情報検出部８によってＲＳ情報が「オン」を示すことを受信したセレクタ制御部７の制御によって、Ｂ１送信データセレクタ５は、ＲＳ情報が「オン」になっている側のデータを選択し、ＮＴ＿ＩＮＦ変換部２に送信する。
【００４３】
ここで、図７の例に示すように、Ｖ２４＿ＩＮＦ変換部９から「オフ（ＯＦＦ）」を示すＲＳ情報が送信され、ＬＴ＿ＩＮＦ変換部１０から「オン（ＯＮ）」を示すＲＳ情報が送信されたとする。この場合、ＲＳ情報検出部８の検出内容に基づいて、セレクタ制御部７は、Ｂ１送信データセレクタ５を制御する。具体的には、セレクタ制御部７の制御に基づいて、端子３５に端子３６が接続されるため、Ｂ１送信データセレクタ５は、ＬＴ＿ＩＮＦ変換部１０からのデータを選択する。
【００４４】
また、Ｂ２送信データセレクタ６は、Ｖ２４＿ＩＮＦ変換部９から受信したデータ（すなわち、Ｖ２４＿ＩＮＦ端末２１が送信したデータ）とＬＴ＿ＩＮＦ変換部１０から受信したＢ２データのどちらかを選択し、ＮＴ＿ＩＮＦ変換部２に送信する。なお、Ｖ２４＿ＩＮＦ変換部９から受信したデータとＢ２データのいずれを選択するかは、データ振り分け設定部３に予め設定される。
【００４５】
図８および図９は、Ｂ２送信データセレクタ６の例を示す説明図である。Ｂ２送信データセレクタ６は、Ｖ２４＿ＩＮＦ変換部９が変換したＶ２４＿ＩＮＦ端末２１からのデータを受信する端子３８およびＬＴ＿ＩＮＦ変換部１０が変換したＢ２データを受信する端子３９を有しており、さらに、これらの端子のいずれか一方に択一的に接続する端子４０を有している。なお、端子４０の他方は、ＮＴ＿ＩＮＦ変換部２に接続される。
【００４６】
データ振り分け設定部３には、Ｂ２送信データセレクタ６の設定として、（６）「Ｖ２４＿ＩＮＦ変換部９からのデータを選択」と、（７）「ＬＴ＿ＩＮＦ変換部１０からのデータを選択」の２種類の中から設定される。「Ｖ２４＿ＩＮＦ変換部９からのデータを選択」が設定されている場合、図８の例に示すように、端子３８に端子４０が接続される。「ＬＴ＿ＩＮＦ変換部１０からのデータを選択」が設定されている場合、図９の例に示すように、端子３９に端子４０が接続される。
【００４７】
このように、Ｂ１送信データセレクタ５、Ｂ２送信データセレクタ６、セレクタ制御部７およびＲＳ情報検出部８によって、自身の伝送装置２０に接続されたＶ２４＿ＩＮＦ端末２１からＶ２４＿ＩＮＦ変換部９を介して送信されるデータと、他の伝送装置に接続されたＶ２４＿ＩＮＦ端末２１からＬＴ＿ＩＮＦ変換部１０を介して送信されるデータのうち、接続要求信号を出力するＶ２４＿ＩＮＦ端末２１から送信されるデータが選択されることになる。
【００４８】
以上のように、本実施形態によれば、ＮＴ＿ＩＮＦ変換部２が、ＳＤ回線を伝送される通信データをＢ１データおよびＢ２データに変換する。Ｖ２４＿ＩＮＦ変換部９は、Ｖ２４インタフェースの規定に基づいて、伝送装置２０に接続されたＶ２４＿ＩＮＦ端末２１で用いられるデータにＢ１データまたはＢ２データを変換し、また、Ｖ２４＿ＩＮＦ端末２１から受信したデータを各チャネルのデータに変換する。また、ＬＴ＿ＩＮＦ変換部１０が、Ｂ１データおよびＢ２データを、伝送装置２０に接続された他の伝送装置との間で伝送されるデータに変換し、また、他の伝送装置から受信したデータを各チャネルのデータに変換する。
【００４９】
さらに、Ｂ１送信データセレクタ５、Ｂ２送信データセレクタ６、セレクタ制御部７およびＲＳ情報検出部８が、伝送装置２０に接続されたＶ２４＿ＩＮＦ端末２１から送信されるデータと、他の伝送装置に接続されたＶ２４＿ＩＮＦ端末２１から送信されるデータと、上述するいずれかのＶ２４＿ＩＮＦ端末２１のうちＲＳ情報に「オン」が設定された信号を出力するＶ２４＿ＩＮＦ端末２１から送信されるデータの中から、データ振り分け設定部３の設定にしたがって送信するデータを選択する。そして、ＮＴ＿ＩＮＦ１及びＮＴ＿ＩＮＦ変換部２が、選択されたデータを他の装置（例えば、接続を要求した端末、他の伝送装置など）に送信する。
【００５０】
以上のような構成により、新たな装置を導入することなく、ＴＣＭ伝送方式によるディジタル回線を１回線使用してマルチポイント接続を可能とするシステムを実現できる。
【００５１】
すなわち、本実施形態の伝送装置は、ＳＤ回線に接続されるＮＴ＿ＩＮＦ（具体的には、ＤＳＵ機能）と、別の同一装置ともＮＴ＿ＩＮＦで接続できるようにＬＴ＿ＩＮＦ（具体的には、ＯＣＵ機能）を具備している。さらに、本実施形態の伝送装置は、接続要求信号（ＲＳ情報に「オン」が設定された信号）を検出することで、マルチ接続されたどの端末のデータを送信するか選択する機能を具備している。よって、ＴＣＭ方式を終端する伝送装置を用いて、マルチポイント接続が可能な伝送システムを容易にかつ安価な費用で構築できる。
【実施例１】
【００５２】
以下、具体的な実施例により本発明を説明するが、本発明の範囲は以下に説明する内容に限定されない。図１０は、上記実施形態の伝送装置を用いて構成される伝送システムの例を示す説明図である。第１の実施例では、ＴＣＭ方式を終端する伝送装置を用いてマルチポイント接続可能な伝送システムを構成した場合について説明する。
【００５３】
図１０に例示する伝送システムは、図１に例示する伝送装置２０と同一の構成を備える伝送装置５１〜５５を含んでいる。伝送装置５１と伝送装置５２は、ＳＤ回線を介して接続されている。さらに、伝送装置５２のＬＴ＿ＩＮＦ１２は、伝送装置５３のＮＴ＿ＩＮＦ１と構内回線を介して接続されている。なお、伝送装置５３と伝送装置５４、および、伝送装置５４と伝送装置５５も、同様の条件で構内回線を介して接続されている。
【００５４】
センタ局側の端末Ａは、伝送装置５１のＶ２４＿ＩＮＦ１１に接続されている。支局エリア側の端末Ｂ〜Ｅは、伝送装置５１に接続されたセンタ局側の端末Ａと通信するため、伝送装置５２〜５５にそれぞれ接続されている。
【００５５】
この伝送システムにおいて、伝送装置５１〜５５のデータ振り分け設定部３には、受信データセレクタ４の設定として、（１）「Ｂ１を選択」が設定され、Ｂ１送信データセレクタ５の設定として、（５）「ＲＳ情報による」が設定されている。
【００５６】
図１１は、図１０に例示する伝送システムで送信されるデータの例を示す説明図である。まず、端末Ａは、支局エリア側の端末Ｂ〜Ｅにデータ送信するために、ＲＳ情報に「オン」を設定する。伝送装置５１には、Ｂ１送信データセレクタ４の設定として（５）「ＲＳ情報による」が設定されているので、端末Ａは、Ｂ１チャネルを利用して伝送装置１からＳＤ回線を経由して伝送装置５２にデータを送信する。
【００５７】
伝送装置５２には、受信データセレクタ４の設定として（１）「Ｂ１を選択」が設定されているので、伝送装置５２の受信データセレクタ４は、Ｂ１データを選択する。よって、伝送装置５２のＶ２４＿ＩＮＦ１１に接続されている端末Ｂは、端末Ａの送信データとしてＢ１データを受信する。また、伝送装置５２が回線から受信したＢ１，Ｂ２データは、伝送装置５２のＬＴ＿ＩＮＦ１２が伝送装置３にそのまま送信する。
【００５８】
伝送装置５３の受信データセレクタ４もＢ１データを選択する。伝送装置５３のＶ２４＿ＩＮＦ１１に接続されている端末Ｃも、端末Ａの送信データとしてＢ１データを受信する。同様に、端末Ｄおよび端末Ｅも、端末Ａの送信データとしてＢ１データを受信できる。
【００５９】
また、本実施例では、端末Ａが、端末Ｅに対して端末Ａへの返信要求を行っているものとする。上述するように、端末Ａから送信される端末Ｅへの返信要求のデータは、支局エリア側の全て端末Ｂ〜Ｅが受信する。しかし、端末Ｅ以外の端末Ｂ〜Ｄは、自身の端末が端末Ａの返信要求に応答する必要がないことを認識するので、データの返信を行わない。すなわち、端末Ｂ〜ＥのＲＳ情報には、「オン」が設定されないことになる。
【００６０】
一方、端末Ｅは、自身の端末が端末Ａの返信要求に応答する必要があることを認識するので、データの返信を行う。すなわち、端末ＥのＲＳ情報には、「オン」が設定される。
【００６１】
端末Ｅが接続されている伝送装置５５のＢ１送信データセレクタ５は、（５）「ＲＳ情報による」の設定により、端末Ｅから送信されるＲＳ情報に「オン」が設定されていることを検出する。伝送装置５５のＢ１送信データセレクタ５は、Ｖ２４＿ＩＮＦ変換部９からのデータ（すなわち、端末Ｅから送信されるデータ）をＢ１データとして伝送装置５５のＮＴ＿ＩＮＦ変換部２に送信する。よって、端末Ｅのデータが伝送装置５５のＮＴ＿ＩＮＦ１から伝送装置５４に送信される。
【００６２】
伝送装置５４のＬＴ＿ＩＮＦ１２が受信した伝送装置５５からのＢ１データには、ＲＳ情報に「オン」が設定されている。ＲＳ情報が「オン」であることを検出した伝送装置５４では、Ｂ１送信データセレクタ５が、ＬＴ＿ＩＮＦ変換部１０からのＢ１データを選択して伝送装置５４のＮＴ＿ＩＮＦ変換部２に送信する。よって、選択されたデータが、伝送装置５３に送信される。
【００６３】
同様に、伝送装置５３および伝送装置５２でも、ＲＳ情報が「オン」に設定されているＬＴ＿ＩＮＦ１２側のデータが選択される。その結果、端末Ｅのデータは、伝送装置５５→伝送装置５４→伝送装置５３→伝送装置５２→ＳＤ回線→伝送装置５１を経由して、端末Ａに送信されることになる。
【００６４】
本実施例では、端末Ａが、端末Ｅに対して端末Ａへの返信要求を行っている場合について説明した。同様の方法を用いることにより、センタ局側の端末Ａは、支局エリア側に接続された全ての端末と通信を行うことができる。すなわち、ＴＣＭ方式を終端する上記実施形態の伝送装置を用いることにより、ＳＤ回線でのマルチポイント接続が可能となる。
【００６５】
図１０および図１１に例示するように、上記実施形態の伝送装置を用いることで容易にマルチポイント接続が可能になる。そのため、図１７に示す一般的な伝送装置を用いた場合のようにデータブランチ装置などの設備を新たに導入する必要がない。また、データブランチ装置を導入する場合と異なり、マルチ接続したい端末の数量に合わせて装置を導入できるため、導入のコストを抑えることができる。
【００６６】
また、図１７に示す一般的な伝送装置とデータブランチ装置とを用いて接続した場合、一般的にＶ２４の電気的特性では最大延長距離が約１５ｍであるため、Ｖ２４＿ＩＮＦ端末までの距離が制限されることになる。
【００６７】
一方、本発明による伝送装置を用いて伝送システムを構築した場合、ＴＣＭ方式の伝送特性上、最大約９ｋｍまで延長することができるため、より柔軟な伝送システムを構築できる。
【００６８】
図１２は、上記実施形態の伝送装置を用いて構成される伝送システムの他の例を示す説明図である。図１２に示す例では、伝送装置５２と伝送装置５３が１５ｍ以上離れていることを示す。上記実施形態の伝送装置を用いることで、例えば、支局エリア側の端末が、マシン室のような場所に集中しておらず、図１２に示すように、工場などの広い範囲に点在している場合に、特に効果がある。
【実施例２】
【００６９】
図１３は、上記実施形態の伝送装置を用いて構成される伝送システムのさらに他の例を示す説明図である。第２の実施例では、ＴＣＭ方式を終端する伝送装置を用いてバス接続可能な伝送システムを構成した場合について説明する。具体的には、端末Ａと端末Ｃが相互にデータを送受信するものとし、端部Ｂと端末Ｄが相互にデータを送受信するものとする。この場合、データ振り分設定部３の設定によりバス接続が可能になる。
【００７０】
伝送装置６１と伝送装置６３のデータ振り分設定部３には、受信データセレクタ４の設定として（１）「Ｂ１を選択」が設定され、Ｂ１送信データセレクタ５の設定として（３）「Ｖ２４＿ＩＮＦ変換部９のデータを選択」が設定され、Ｂ２送信データセレクタ６の設定として（７）「ＬＴ＿ＩＮＦ変換部１０のデータを選択」が設定されている。
【００７１】
また、伝送装置６２と伝送装置６４のデータ振り分設定部３には、受信データセレクタ４の設定として（２）「Ｂ２を選択」が設定され、Ｂ１送信データセレクタ５の設定として（３）「Ｖ２４＿ＩＮＦ変換部９のデータを選択」が設定され、Ｂ２送信データセレクタ６の設定として（６）「Ｖ２４＿ＩＮＦ変換部９のデータを選択」が設定されている。
【００７２】
図１４は、図１３に例示する伝送システムで送信されるデータの例を示す説明図である。上記設定を行うことにより、端末Ａが送信するデータは、Ｂ１データとして端末Ｃに受信される。同様に、端末Ｃが送信するデータも、Ｂ１データとして端末Ａに受信される。また、端末Ｂが送信するデータは、Ｂ２データとして端末Ｄに受信される。同様に、端末Ｄが送信するデータも、Ｂ２データとして端末Ｂに受信される。以上のように、データ振り分設定部３の設定により、バス接続を行うことも可能である。
【００７３】
次に、本発明の概要を説明する。図１５は、本発明による伝送装置の概要を示すブロック図である。本発明による伝送装置は、接続される装置にデータを伝送する伝送装置（例えば、伝送装置２０）であって、時分割方向制御方式（ＴＣＭ方式）を用いたディジタル回線（例えば、ＳＤ回線、構内回線）に接続され、そのディジタル回線を伝送される通信データと各チャネルのデータ（例えば、Ｂ１データ及びＢ２データ）とを相互に変換する網終端インタフェース変換手段８１（例えば、ＮＴ＿ＩＮＦ１およびＮＴ＿ＩＮＦ変換部２）と、Ｖ．２４インタフェースを有する通信端末（例えば、Ｖ２４＿ＩＮＦ端末２１）に接続され、そのＶ２４．インタフェースの規定に基づいて、網終端インタフェース変換手段８１から受信した各チャネルのデータと、通信端末で用いられるデータとを相互に変換するＶ２４インタフェース変換手段８２（例えば、Ｖ２４＿ＩＮＦ変換部９及びＶ２４＿ＩＮＦ１１）と、他の伝送装置における網終端インタフェース変換手段８１に接続され、他の伝送装置との間で伝送されるデータと、網終端インタフェース変換手段８１から受信した各チャネルのデータとを相互に変換する回線終端インタフェース変換手段８３（ＬＴ＿ＩＮＦ変換部１０およびＬＴ＿ＩＮＦ１２）と、通信端末からＶ２４インタフェース変換手段８２を介して送信されるデータと、他の伝送装置に接続された通信端末から回線終端インタフェース変換手段８３を介して送信されるデータと、これらいずれかの通信端末のうち所定の信号（例えば、ＲＳ情報に「オン」が設定された信号）を出力する通信端末から送信されるデータの中から、予め定められた設定（例えば、データ振り分け設定部３の設定）にしたがって、他の装置に送信するデータを選択する送信データ選択手段８４（例えば、Ｂ１送信データセレクタ５、Ｂ２送信データセレクタ６、セレクタ制御部７及びＲＳ情報検出部８）とを備えている。
【００７４】
網終端インタフェース変換手段８１は、送信データ選択手段８４が選択したデータを他の装置（例えば、他の伝送装置、接続要求端末）に送信する。
【００７５】
そのような構成により、新たな装置を導入することなく、ＴＣＭ伝送方式によるディジタル回線を１回線使用してマルチポイント接続を可能とするシステムを実現できる。
【００７６】
また、本発明による伝送装置は、ディジタル回線を伝送される通信データから網終端インタフェース変換手段８１によって変換された各チャネルのデータのうち、予め定められた（例えば、データ振り分け設定部３に設定された）チャネルのデータを選択する受信データ選択手段（例えば、受信データセレクタ４）を備えていてもよい。そして、Ｖ２４インタフェース変換手段８２は、Ｖ２４．インタフェースの規定に基づいて、受信データ選択手段が選択したチャネルのデータを、通信端末で用いられるデータに変換してもよい。
【００７７】
そのような構成により、新たな装置を導入することなく、ＴＣＭ伝送方式によるディジタル回線を１回線使用してバス接続を可能とするシステムを実現できる。
【００７８】
具体的には、網終端インタフェース変換手段８１は、ディジタル回線を伝送される通信データからＢ１チャネルのデータとＢ２チャネルのデータとを抽出してもよい。そして、回線終端インタフェース変換手段８３は、網終端インタフェース変換手段８１から受信したＢ１チャネルのデータおよびＢ２チャネルのデータを他の伝送装置との間で伝送されるデータに変換してもよい。また、送信データ選択手段８４は、接続要求信号を出力する通信端末から送信されるデータを選択してもよい。
【００７９】
また、回線終端インタフェース変換手段８３は、網終端インタフェース変換手段８１が受信したデータを、通信端末が必要とするデータスピードおよび電圧レベルに変換してもよい。
【００８０】
図１６は、本発明による伝送システムの概要を示すブロック図である。本発明による伝送システムは、接続される装置にデータを伝送する伝送装置８９（例えば、伝送装置２０）を複数備えている。
【００８１】
各伝送装置８９は、網終端インタフェース変換手段８１と、Ｖ２４インタフェース変換手段８２と、回線終端インタフェース変換手段８３と、送信データ選択手段８４とを含む。なお、これら各手段の内容は、図１５に例示する伝送装置が備える各手段の内容と同様である。
【産業上の利用可能性】
【００８２】
本発明は、ＴＣＭ方式を用いたディジタル回線を介してデータを伝送する伝送装置に好適に適用される。
【符号の説明】
【００８３】
１  ＮＴ＿ＩＮＦ（網終端インタフェース）
２  ＮＴ＿ＩＮＦ変換部
３  データ振り分け設定部
４  受信データセレクタ
５  Ｂ１送信データセレクタ
６  Ｂ２送信データセレクタ
７  セレクタ制御部
８  ＲＳ情報検出部
９  Ｖ２４＿ＩＮＦ変換部
１０  ＬＴ＿ＩＮＦ変換部
１１  Ｖ２４＿ＩＮＦ（Ｖ．２４インタフェース）
１２  ＬＴ＿ＩＮＦ（回線終端インタフェース）
２０、５１〜５５，６１〜６４  伝送装置
２１  Ｖ２４＿ＩＮＦ端末
３１〜４０  端子
【図１】
0005622288.tif 000002
【図２】
0005622288.tif 000003
【図３】
0005622288.tif 000004
【図４】
0005622288.tif 000005
【図５】
0005622288.tif 000006
【図６】
0005622288.tif 000007
【図７】
0005622288.tif 000008
【図８】
0005622288.tif 000009
【図９】
0005622288.tif 000010
【図１０】
0005622288.tif 000011
【図１１】
0005622288.tif 000012
【図１２】
0005622288.tif 000013
【図１３】
0005622288.tif 000014
【図１４】
0005622288.tif 000015
【図１５】
0005622288.tif 000016
【図１６】
0005622288.tif 000017
【図１７】
0005622288.tif 000018